(57)【特許請求の範囲】
【請求項１】
貯水タンク式水洗トイレの貯水タンク内に配置されて、少なくとも下端部を前記貯水タンク内に貯留する水に浸漬可能な容器体と、
この容器体の底面部に立設されて、該容器体の下端内部に第１室と該第１室よりも大容積からなる第２室とを隔成する仕切部と、
前記仕切部の上端よりも低い位置に設けられ前記第１室を外部と連通させる第１流入出部と、
前記仕切部の上端よりも低い位置であって、前記第２室に収容された水溶性薬剤と、
前記仕切部の上端よりも低い位置であって、前記水溶性薬剤よりも高い位置に設けられ、該第２室を外部と連通させる第２流入出部とを備え、
前記第１流入出部の総開口面積を、前記第２流入出部の総開口面積よりも大きく設定し、
前記貯水タンク式水洗トイレの貯水時における前記貯水タンク内の水面レベルの上昇に伴って、前記各流入出部から前記各室に水を流入させて、前記第１室の水位が第２室の水位よりも高い水位差を生じさせ、該水位差が生じている間において、前記第１室から前記仕切部を越えた水を第２室に落下させるようにしたことを特徴とする水洗トイレ用薬剤供給具。
【請求項２】
貯水タンク式水洗トイレの貯水タンク内に配置されて、少なくとも下端部を前記貯水タンク内に貯留する水に浸漬可能な容器体と、
該容器体の底面部に立設され、容器体の下端内部に第１室と該第１室よりも大容積からなる第２室とを隔成する第１仕切部と、
該第１仕切部の上端よりも低い位置であって、前記第２室に収容された水溶性薬剤と、
前記容器体の底面部に立設され、容器体の下端部に前記第２室と該第２室よりも小容量からなる第３室とを隔成する前記第１仕切部よりも低くかつ前記水溶性薬剤よりも高い第２仕切部と、
前記第１仕切部の上端よりも低い位置に設けられ前記第１室を外部と連通させる第１流入出部と、
前記第２仕切部の上端よりも低い位置に設けられ前記第３室を外部と連通させる第２流入出部とを備え、
前記第１流入出部の総開口面積を、前記第２流入出部の総開口面積よりも大きく設定し、
前記貯水タンク式水洗トイレの貯水時における前記貯水タンク内の水面レベルの上昇に伴って、前記各流入出部から前記各室に水を流入させて、前記第１室の水位が第２室の水位よりも高い水位差を生じさせ、該水位差が生じている間において、前記第１室から前記第１仕切部を越えた水を前記第２室に落下させるようにしたを特徴とする水洗トイレ用薬剤供給具。
【請求項３】
前記容器体は、断面矩形であることを特徴とする請求項１又は２記載の水洗トイレ用薬剤供給具。
【請求項４】
前記容器体は、長さ調整可能であることを特徴とする請求項１又は２記載の水洗トイレ用薬剤供給具。
【請求項５】
前記容器体の上端部には、水溶性薬剤を投入するための投入口が設けられていることを特徴とする請求項１又は２記載の水洗トイレ用薬剤供給具。
【請求項６】
前記投入口は、前記容器体を前記貯水タンクに装着したとき、該貯水タンクの縁部と略面一状をなすことを特徴とする請求項５記載の水洗トイレ用薬剤供給具。
【請求項７】
前記各仕切部は、前記容器体と一体的に形成されたことを特徴とする請求項１又は２記載の水洗トイレ用薬剤供給具。
【請求項８】
前記第１流入出部を、前記容器体の底面部に設けたことを特徴とする請求項１又は２記載の水洗トイレ用薬剤供給具。
【請求項９】
前記第１流入出部を、前記容器体の周面部に設けたことを特徴とする請求項１又は２記載の水洗トイレ用薬剤供給具。
【請求項１０】
前記第１流入出部を、前記容器体の底面部と周面部とに亙って設けたことを特徴とする請求項１又は２記載の水洗トイレ用薬剤供給具。
【請求項１１】
前記第１流入出部は、複数の貫通孔よりなることを特徴とする請求項１又は２記載の水洗トイレ用薬剤供給具。
【請求項１２】
前記第２流入出部を、前記容器体の底面部に設けたことを特徴とする請求項２記載の水洗トイレ用薬剤供給具。
【請求項１３】
前記第２流入出部を、前記容器体の周面部に設けたことを特徴とする請求項１又は２記載の水洗トイレ用薬剤供給具。
【請求項１４】
前記第２流入出部を、前記容器体の底面部と周面部とに亙って設けたことを特徴とする請求項２記載の水洗トイレ用薬剤供給具。
【請求項１５】
前記第２流入出部は、複数の貫通孔よりなることを特徴とする請求項１又は２記載の水洗トイレ用薬剤供給具。
【発明の詳細な説明】
【０００１】
【発明の属する技術分野】
本発明は、貯水タンク式水洗トイレの貯水タンク内に配置して使用される水洗トイレ用薬剤供給具に関する。
【０００２】
【従来の技術】
従来の水洗トイレ用薬剤供給具としては、容器体の内部に水溶性薬剤を収容し、この水溶性薬剤を収容した容器ごと貯水タンク式水洗トイレの貯水タンク内の水に浸漬して、該貯水タンク内の水に水溶性薬剤を溶解させるものが知られている。
【０００３】
【発明が解決しようとする課題】
しかしながら、このような従来の水洗トイレ用薬剤供給具にあっては、水溶性薬剤を単に貯水タンク内の水に浸漬することにより、溶解させるようにしている。したがって、貯水タンクから放出される水の薬液濃度は、前回の放水時点から今回の放水時点までの時間により異なり、該時間が長くなるに従って薬液濃度の高い水が貯水タンクから便器に放出されることとなる。よって、逆に前回の放水時点から今回の放水時点までの時間が短い連続放水を行った場合には、今回の放水時までに十分な量の薬剤が貯水タンク内の水に溶解しておらず、薬剤濃度が低く十分な薬剤効果が得られない。
【０００４】
本発明は、このような従来の課題に鑑みてなされたものであり、前回の放水時点から今回の放水時点までの時間が短い連続放水を行った場合であっても、適正濃度の薬剤を溶解させた水を放水することのできる水洗トイレ用薬剤供給具を提供することを目的とするものである。
【０００５】
【課題を解決するための手段】
前記課題を解決するために本発明にあっては、貯水タンク式水洗トイレの貯水タンク内に配置されて、少なくとも下端部を前記貯水タンク内に貯留する水に浸漬可能な容器体と、この容器体の底面部に立設されて、該容器体の下端内部に第１室と該第１室よりも大容積からなる第２室とを隔成する仕切部と、前記仕切部の上端よりも低い位置に設けられ前記第１室を外部と連通させる第１流入出部と、前記仕切部の上端よりも低い位置であって、前記第２室に収容された水溶性薬剤と、前記仕切部の上端よりも低い位置であって、前記水溶性薬剤よりも高い位置に設けられ、該第２室を外部と連通させる第２流入出部とを備え、前記第１流入出部の総開口面積を、前記第２流入出部の総開口面積よりも大きく設定し、前記貯水タンク式水洗トイレの貯水時における前記貯水タンク内の水面レベルの上昇に伴って、前記各流入出部から前記各室に水を流入させて、前記第１室の水位が第２室の水位よりも高い水位差を生じさせ、該水位差が生じている間において、前記第１室から前記仕切部を越えた水を第２室に落下させるようにした。
【０００６】
かかる構成おいて、使用に際しては貯水タンク式水洗トイレにおける貯水タンク内に、底面部が下端となる垂直状態に配置する。この配置状態において、貯水タンク内の水が便器内に放水し終わった直後では、第２室内に配置される水溶性薬剤の上部には、第２流入出部の直下のレベルにて、水が滞留している。このとき、第２流入出部は、仕切部の上端よりも低い位置に設けられていることから、当然にこのレベルは仕切部の上端までの高さよりも低い位置である。
【０００７】
また、貯水タンク内の弁が閉じて貯水が開始されると、該貯水タンク内の水面レベルは徐々に上昇して行き、該水面レベルが第１流入出部以上となると、貯水タンク内の水は第１流入出部を介して第１室内に侵入し、第１室内の水面レベルが上昇する。そして、第１室内の水が仕切部の上端を越え得るレベルになると、該第１室内の水は仕切部の上端を越えて第２室内に落下する。これにより、第２室に配置されている水溶性薬剤上に貯留している水に流圧が付加されるのみならず、該貯留している水が撹拌される。このため水溶性薬剤は、第１室から流下した水による流圧及び撹拌に伴って適量が水中に溶解し、水溶性薬剤の上部に、高濃度の薬剤溶液が生成される。そして、第１室内から第２室への水の流入に伴って、第２室内の水面レベルが仕切部の上端まで到達すると、前述した落下した水による流圧、及び撹拌に伴う水溶性薬剤の溶解は停止する。
【０００８】
また、トイレ使用後、貯水タンク内の水を便器内に放出すると、貯水タンクの水面レベルは下降して行く。この水面レベルの下降に伴って、容器体内の薬剤溶液が、第１流入出部及び第２流入出部を介して容器体外に流出し、該容器体外の貯水タンク内の水に混入する。したがって、便器内には貯水タンクから薬剤溶液が混入したブルーの水等が放出され、便器の洗浄、消臭等がなされる。このとき、前記貯水タンクへの貯水時に、前述した流圧と攪拌とにより、容器体内の水に十分に薬剤が溶解していることから、前回の放水時点から今回の放水時点までの時間が短い連続放水を行った場合であっても、適正濃度の薬剤を溶解させた水を放水することができる。
【０００９】
また、本発明の他の構成にあっては、貯水タンク式水洗トイレの貯水タンク内に配置されて、少なくとも下端部を前記貯水タンク内に貯留する水に浸漬可能な容器体と、
該容器体の底面部に立設され、容器体の下端内部に第１室と該第１室よりも大容積からなる第２室とを隔成する第１仕切部と、該第１仕切部の上端よりも低い位置であって、前記第２室に収容された水溶性薬剤と、前記容器体の底面部に立設され、容器体の下端部に前記第２室と該第２室よりも小容量からなる第３室とを隔成する前記第１仕切部よりも低くかつ前記水溶性薬剤よりも高い第２仕切部と、前記第１仕切部の上端よりも低い位置に設けられ前記第１室を外部と連通させる第１流入出部と、前記第２仕切部の上端よりも低い位置に設けられ前記第３室を外部と連通させる第２流入出部とを備え、前記第１流入出部の総開口面積を、前記第２流入出部の総開口面積よりも大きく設定し、前記貯水タンク式水洗トイレの貯水時における前記貯水タンク内の水面レベルの上昇に伴って、前記各流入出部から前記各室に水を流入させて、前記第１室の水位が第２室の水位よりも高い水位差を生じさせ、該水位差が生じている間において、前記第１室から前記第１仕切部を越えた水を前記第２室に落下させるようにした。
【００１０】
かかる構成において、使用に際しては貯水タンク式水洗トイレにおける貯水タンク内に、底面部が下端となる垂直状態に配置する。この配置状態において、貯水タンク内の水が便器内に放水し終わった直後では、第２室内に配置される水溶性薬剤の上部には、第２仕切部の高さレベルにて、水が滞留している。このとき、第２仕切部は、第１仕切部よりも低いことから、当然にこのレベルは第１仕切部の上端までの高さよりも低い位置である。
【００１１】
そして、貯水タンク内の弁が閉じて貯水が開始されると、該貯水タンク内の水面レベルは徐々に上昇して行き、該水面レベルが第１流入出部以上となると、該第１流入出部から第１室内に水が侵入する。また、第１室内の水が第１仕切部の上端を越え得るレベルになると、該第１室内の水は第１仕切部の上端を越えて第２室内に侵入する。このとき、第１仕切部の高さと第２仕切部の高さとの差により水位差が生じていることから、第１仕切部の上端を越えた水は、この水位差をもって落下して水溶性薬剤上に貯留している水に流圧を付加するのみならず、該貯留している水を攪拌する。このため水溶性薬剤は、第１室から流下した水による流圧、及び攪拌に伴って適量が容器体内の水中に溶解し、水溶性薬剤の上部に、高濃度の薬剤溶液が生成される。
【００１２】
また、この生成された高濃度の薬剤溶液は、第２仕切部の高さレベルと第３室内の水面レベルとにレベル差が生じている間は、第２仕切部の上端を乗り越えて、第３室内に流入する。したがって、水が第１仕切部の上端を越えて第２室内に流入しても、第１室と第２室との間に一定の水位差を維持することができる。よって、この間、この一定の水位差をもって落下する水により、確実に水溶性薬剤上に貯留している水に流圧を付加できるのみならず、該貯留している水を攪拌することができ、これにより、所定量が薬剤が水中に溶解する。
【００１３】
そして、第２室から第３室への薬剤溶液の流入と、第２流入出部から第３室内への水の流入とに伴って、該第３室内の水面レベルが第２仕切部の上端まで到達すると、前記水位差が減少し始める。やがて、水位差がなくなると、前述した水位差をもって落下した水による流圧及び攪拌に伴う水溶性薬剤の溶解は停止する。
【００１４】
また、トイレ使用後、貯水タンク内の水を便器内に放出すると、貯水タンクの水面レベルは下降して行く。この水面レベルの下降に伴って、容器体内の薬剤溶液が、第１流入出部及び第２流入出部を介して容器体外に流出し、該容器体外の貯水タンク内の水に混入する。したがって、便器内には貯水タンクから薬剤溶液が混入したブルーの水等が放出され、便器の洗浄、消臭等がなされる。
【００１５】
【発明の実施の形態】
以下、本発明の一実施の形態について図にしたがって説明する。すなわち、図１は本発明の第１の実施の形態を示すものであり、水洗トイレ用薬剤供給具１は、容器体２を有している。この容器体２は、底面部３と、この底面部３の左右に立設された左側面部４と右側面部５、及び前後に立設された前面部６と後面部７を一体的に有している。また、この容器体２は、上下方向に長尺状であって、後述するように、貯水タンク式水洗トイレにおける貯水タンク内に配置した場合において、下部が貯水タンク内に貯留されている水に浸漬し得る長さを有し、上端部には水溶性薬剤投入用の開口部が設けられている。
【００１６】
容器体２の内部であって底面部３上には、仕切部８が一体的に立設されており、この仕切部８は、底面部３上に配置される後述する水溶性薬剤の高さよりも高い寸法に設定されている。また、この仕切部８は、左右側面部４，５と平行に延在しているとともに、左側面部４側に変位して該左側面部４との間に所定の間隔を設けて形成されており、下縁は底面部３に接合され、前縁及び後縁は前面部６と後面部７とに接合されている。これにより、左側面部４と仕切部８との間に第１室９が形成され、仕切部８と右側面部５との間に、この第１室９よりも大容積からなる第２室１０が形成されている。
【００１７】
第１室９内の底面部３には、３個の貫通孔からなる底面孔１１が形成されており、右側面部５には仕切部８の上端８ａよりもやや低い位置に単一の貫通孔からなる側面孔１２が形成されている。ここで、側面孔１２の開口面積は、底面孔１１の総開口面積よりも遙かに小さく設定されている。
【００１８】
また、第２室１０内には、底面部３上に水溶性薬剤１３が収容配置されている。この水溶性薬剤１３は、各種洗浄剤、漂白剤、酸素剤、殺菌剤、消臭剤、脱臭剤、及びブルー染料等が適宜選択されて混入されており、仕切部８より低い高さ寸法を有している。
【００１９】
なお、後面部７の上端部には、貯水タンク式水洗トイレにおける貯水タンクの上端部等の係止可能なフック等の適宜の固定手段が設けられており、また、この固定手段により固定した場合において、貯水タンク頂面とほぼ面一状をなす水溶性薬剤を投入するための投入口が、容器体２の上端全面を開口することにより形成されている。
【００２０】
以上の構成にかかる第１の実施の形態において、使用に際しては貯水タンク式水洗トイレにおける貯水タンクの上蓋を持ち上げて、水洗トイレ用薬剤供給具１を貯水タンク内に挿入し、前記固定手段により容器体２を貯水タンクの上端部等に固定して、底面部３が下端となる垂直状態に配置する。このとき、容器体２は断面矩形であることから、例えば後面部７を貯水タンクの内面に接面させることにより、安定的に配置することができる。
【００２１】
この配置状態において、貯水タンク内の水が便器内に放水し終わった直後では、第１室９内に水の滞留はなく、第２室１０内の水溶性薬剤１３の上部には、側面孔１２の直下のレベルＬ１にて、水が滞留している。このとき、前述したように側面孔１２は、仕切部８の上端８ａよりもやや低い位置に設けられていることから、当然にこのレベルＬ１は仕切部８の上端８ａまでの高さＬ３よりも低い位置である。
【００２２】
また、貯水タンク内の水が便器内に放水し終わった後、貯水タンク内の弁が閉じて貯水が開始されると、該貯水タンク内の水面レベルは徐々に上昇して行き、やがて底面部３以上となる。すると、底面部３には底面孔１１が設けられていることから、貯水タンク内の水は底面孔１１を介して第１室９内に侵入して、第１室９内の水面レベルが上昇する。このとき、第１室９内には底面孔１１を介して水が侵入することから、該第１室９内の水面レベルの上昇は急峻ではなく、水道水が直接流入する貯水タンク内の水面レベルの方が急速に上昇する。したがって、該貯水タンク内の水面レベルは先行して満タンレベルＬ２に到達し、この時点で水道水の供給が停止されることにより、貯水タンク内の水面レベルは満タンレベルＬ２にて停止する。
【００２３】
一方、第１室９内の水面レベルは、前述のように貯水タンク内の水面レベルよりも緩慢に上昇して行く。そして、第１室９内の水が仕切部８の上端８ａを越え得るレベルＬ３になると、該第１室９内の水は仕切部８の上端８ａを越えて第２室１０内に侵入する。このとき、仕切部８の上端８ａを越え得るレベルＬ３と、前記レベルＬ１との間には“Ｌ３−Ｌ１”の水位差が生じている。したがって、仕切部８の上端８ａを越えた水は、この水位差をもって落下して水溶性薬剤１３上に貯留している水に流圧を付加するのみならず、該貯留している水を攪拌する。このため水溶性薬剤１３は、第１室９から流下した水による流圧及び攪拌に伴って適量が水中に溶解し、水溶性薬剤１３の上部に、高濃度の薬剤溶液が生成される。
【００２４】
そして、第１室９内から第２室１０への水の流入、及び側面孔１２から第２室１０への水の流入に伴って、第２室１０内の水面レベルＬ１が仕切部８の上端８ａまで到達すると、第１室９の水面レベルＬ３と第２室１０の水面レベルＬ１との関係は、Ｌ３＝Ｌ１となる。したがって、両者の水位差がなくなることにより、前述した水位差をもって落下した水による流圧、及び撹拌に伴う水溶性薬剤１３の溶解は停止する。
【００２５】
しかし、Ｌ３＝Ｌ１となった後も、容器体２内の水面レベルが満タンレベルＬ２と等しくなるまでは、底面孔１１及び側面孔１２から貯水タンク内の水が容器体２内に流入し、容器体２内の水面レベルが満タンレベルＬ２と等しくなった時点で、貯水タンク内の水の容器体２内への流入が停止する。
【００２６】
このとき、容器体２内においては、前述した攪拌時の水の流動が慣性により生じており、また、Ｌ３＝Ｌ１となった後の底面孔１１及び側面孔１２から容器体２内への水の流入によっても、水の流動が生じている。したがって、前述した水溶性薬剤１３の上部に生成されている高濃度の薬剤溶液は、この容器体２内における水の流動により、該容器体２内において分散し、さらに濃度拡散により、容器体２内において分散する。よって、容器体２内は、所定濃度の薬剤溶液が充満することとなり、貯水タンクが満水レベルＬ２に維持されている間、薬剤溶液はほぼ容器体２内に封入されている。
【００２７】
そして、トイレ使用後、貯水タンク内の水を便器内に放出すると、貯水タンクの水面レベルＬ２は下降して行く。この水面レベルＬ２の下降に伴って、容器体２内の薬剤溶液が、底面孔１１及び側面孔１２を介して容器体２外に流出し、該容器体２外の貯水タンク内の水に混入する。したがって、便器内には貯水タンクから薬剤溶液が混入したブルーの水等が放出され、便器の洗浄、消臭等がなされる。
【００２８】
このとき、前述した貯水タンクへの貯水時における流圧と攪拌とにより、水溶性薬剤１３が容器体２内の水に十分に薬剤が溶解していることから、前回の放水時点から今回の放水時点までの時間が短い連続放水を行った場合であっても、適正濃度の薬剤を溶解させた水を便器に放水することができる。
【００２９】
また、この放水時において、貯水タンク内の水面レベルＬ２は、容器体２内の水面レベルよりも急速に低下し、よって、貯水タンク内の水面レベルＬ２が容器体２よりも下方となった時点でも、容器体２内の薬剤溶液は全て外部に流出してはいない。しかし、貯水タンク内の水面レベルＬ２が容器体２よりも下方となった時点からも、貯水タンクから便器への放水が継続している状態にある。したがって、底面孔１１及び側面孔１２からの薬剤溶液が、貯水タンク内の水に滴下しつつ混入して、この薬剤溶液が混入した水の便器への放出が継続する。よって、便器内へ放出される水は、その放出初期よりも放出終期の方が薬剤濃度が濃くなることから、便器から汚物が流出した後に、洗浄効果や消臭効果が高まることとなり、これにより、理想的な薬剤供給を行うことができる。
【００３０】
そして、第１室９の薬剤溶液が外部に流出し終わる頃、貯水タンクから便器への放水も完了し、貯水タンク内の弁が閉じて貯水が開始され始める。このとき、第２室１０において、水溶性薬剤１３の上部に残存している薬剤溶液は、側面孔１２からの流出を継続しており、貯水タンク内の水面レベルが徐々に上昇して底面部３に到達するまでには、側面孔１２よりも上部の水は該側面孔１２より外部に流出し終わっている。したがって、前述したように、貯水タンクの水面上昇に伴って底面孔１１から第１室９内に侵入した水が、仕切部８の上端８ａを越え得るレベルＬ３となった際には、第２室１０内の水溶性薬剤１３の上部の水面は、側面孔１２の直下のレベルＬ１となっている。よって、“Ｌ３−Ｌ１”の水位差が生じて、前述した水位差をもって落下して水による水溶性薬剤１３に対する流圧の付加、及び水溶性薬剤１３上に貯留している水の攪拌がなされることとなる。
【００３１】
なお、水溶性薬剤１３が溶解し終わってなくなった場合には、上部の投入口から新たな水溶性薬剤１３を投入すれば、該水溶性薬剤１３は第２室１０内に落下し、再度使用を開始することができる。このとき、投入口が貯水タンクの頂面とほぼ面一状であれば、水溶性薬剤１３の投入を容易に行うことができる。
【００３２】
図２は、本発明の第２の実施の形態を示すものであり、容器体２の内部であって底面部３上には、第１仕切部１４と第２仕切部１５とが一体的に立設されている。第１仕切部１４は、前述した第１の実施の形態の仕切部８と同様の構成である。第２仕切部１５は、第１仕切部１４の高さ寸法Ｌ３よりも低い高さ寸法Ｌ４を有し、第１仕切部１４及び右側面部５と平行に延在している。また、第１仕切部１４は、右側面部５側に変位して該右側面部５との間に所定の間隔を設けて形成されており、下縁は底面部３に接合され、前縁及び後縁は前面部６と後面部７とに接合されている。これにより、左側面部４と第１仕切部１４との間に第１室１６が形成され、第２仕切部１５と右側面部５との間に第３室１７が形成され、両仕切部１４，１５の間に、第１及び第３室１６，１７よりも大容積からなる第２室１０が形成されている。
【００３３】
第１室１６には、底面部３に３個の貫通孔からなる底面孔１１が形成されており、第３室１７には、底面部３から前面部６、及び底面部３から後面部７に各々亙って、コーナー孔１８が形成されている。ここで、コーナー孔１８の総開口面積は、底面孔１１の総開口面積よりも遙かに小さく設定されている。また、第２室１０内には、底面部３上に図示しない水溶性薬剤が収容配置され、該水溶性薬剤は第２仕切部１５の高さ寸法Ｌ４よりも低い高さ寸法を有している。
【００３４】
以上の構成にかかる第２の実施の形態において、この実施の形態にかかる水洗トイレ用薬剤供給具１も前述した第１の実施の形態と同様に、貯水タンク内に垂直状態で配置される。また、この配置状態において、貯水タンク内の水が便器内に放水し終わった直後では、第１及び第３室１６，１７内に水の滞留はなく、第２室１０内の水溶性薬剤の上部には、第２仕切部１５の高さレベルＬ４にて、水が滞留している。
【００３５】
そして、貯水タンク内の水が便器内に放水し終わった後、貯水タンク内の弁が閉じて貯水が開始されると、該貯水タンク内の水面レベルは徐々に上昇して行き、やがて底面部３以上となる。すると、貯水タンク内の水が底面孔１１とコーナー孔１８とを介して第１及び第３室１６，１７内に侵入して、第１及び第３室１６，１７内の水面レベルが上昇する。
【００３６】
このとき、第１及び第３室１６，１７内には各々前記孔１１，１８を介して水が侵入することから、第１及び第３室１６，１７内の水面レベルの上昇は急峻ではなく、水道水が直接流入する貯水タンク内の水面レベルの方が急速に上昇し、該貯水タンク内の水面レベルは、満タンレベルＬ２にて停止する。さらに、コーナー孔１８の総開口面積は、底面孔１１の総開口面積よりも遙かに小さく設定されていることから、第１室１６内の水面レベルは、第３室１７の水面レベルよりも急速に上昇して行く。
【００３７】
そして、第１室１６内の水が第１仕切部１４の上端１４ａを越え得るレベルＬ３になると、該第１室１６内の水は第１仕切部１４の上端１４ａを越えて第２室１０内に侵入する。このとき、第１仕切部１４の上端１４ａを越え得るレベルＬ３と、第２仕切部１５の高さレベルＬ４との間には“Ｌ３−Ｌ４”の水位差が生じている。したがって、第１仕切部１４の上端１４ａを越えた水は、この水位差をもって落下して水溶性薬剤上に貯留している水に流圧を付加するのみならず、該貯留している水を攪拌する。このため水溶性薬剤は、第１室１６から流下した水による流圧、及びその上部に貯留している水の攪拌に伴って適量が水中に溶解し、水溶性薬剤の上部に、高濃度の薬剤溶液が生成される。また、この生成された高濃度の薬剤溶液は、第２仕切部１５の高さレベルＬ４と第３室１７内の水面レベルＬ５とにレベル差が生じている間は、第２仕切部１５の上端１５ａを乗り越えて、第３室１７内に流入する。
【００３８】
したがって、この実施の形態においては、水が第１仕切部１４の上端１４ａを越えて、第２室１０内に流入しても、Ｌ４＝Ｌ５となるまでの間は、“Ｌ３−Ｌ４”の水位差を維持することができる。よって、この間、この水位差“Ｌ３−Ｌ４”をもって落下する水により、確実に水溶性薬剤上に貯留している水に流圧を付加できるのみならず、該貯留している水を攪拌することができ、これにより、所定量が薬剤が水中に溶解する。
【００３９】
そして、第２室１０から第３室１７への薬剤溶液の流入と、コーナー孔１８から第３室１７内への貯水タンク内の水の流入とに伴って、該第３室１７内の水面レベルＬ５が第２仕切部１５の上端１５ａまで到達すると、水位差が減少し始める。やがて、Ｌ３＝Ｌ５となって水位差がなくなると、前述した水位差をもって落下した水による流圧、及び水溶性薬剤上に貯留している水の攪拌に伴う水溶性薬剤の溶解は停止する。しかし、Ｌ３＝Ｌ５となった後も、容器体２内の水面レベルが満タンレベルＬ２と等しくなるまでは、底面孔１１及びコーナー孔１８から貯水タンク内の水が容器体２内に流入し、容器体２内の水面レベルが満タンレベルＬ２と等しくなった時点で、貯水タンク内の水の容器体２内への流入が停止する。
【００４０】
このとき、容器体２内においては、前述した攪拌時の水の流動が慣性により生じており、また、Ｌ３＝Ｌ５となった後の底面孔１１及びコーナー孔１８から容器体２内への水の流入によっても、水の流動が生じている。したがって、前述した水溶性薬剤の上部に生成されている高濃度の薬剤溶液は、この容器体２内における水の流動により、該容器体２内において分散し、さらに濃度拡散により、容器体２内において分散する。よって、容器体２内は、所定濃度の薬剤溶液が充満することとなり、貯水タンクが満水レベルＬ２に維持されている間、薬剤溶液はほぼ容器体２内に封入されている。
【００４１】
そして、トイレ使用後、貯水タンク内の水を便器内に放出すると、貯水タンクの水面レベルＬ２は下降して行く。この水面レベルＬ２の下降に伴って、容器体２内の薬剤溶液が、底面孔１１及びコーナー孔１８を介して容器体２外に流出し、該容器体２外の貯水タンク内の水に混入する。したがって、便器内には貯水タンクから薬剤溶液が混入したブルーの水等が放出され、便器の洗浄、消臭等がなされる。このとき、前述した貯水タンクへの貯水時における流圧と攪拌とにより、水溶性薬剤１３が容器体２内の水に十分に薬剤が溶解していることから、前回の放水時点から今回の放水時点までの時間が短い連続放水を行った場合であっても、適正濃度の薬剤を溶解させた水を便器に放水することができる。
【００４２】
また、放水に伴って、貯水タンク内の水面レベルＬ２は、容器体２内の水面レベルよりも急速に低下し、よって、貯水タンク内の水面レベルＬ２が容器体２よりも下方となった時点でも、容器体２内の薬剤溶液は全て外部に流出してはいない。しかし、貯水タンク内の水面レベルＬ２が容器体２よりも下方となった時点からも、貯水タンクから便器への放水が継続している状態にある。したがって、底面孔１１及びコーナー孔１８からの薬剤溶液が、貯水タンク内の水に滴下しつつ混入して、この薬剤溶液が混入した水の便器への放出が継続する。よって、便器内へ放出される水は、その放出初期よりも放出周期の方が薬剤濃度が濃くなることから、便器から汚物が下水に流れこんた後に、洗浄効果や消臭効果が高まることとなり、これにより、理想的な薬剤供給を行うことができる。そして、第１及び第３室１６，１７の薬剤溶液が外部に流出し終わる頃、貯水タンクから便器への放水も完了し、貯水タンク内の弁が閉じて貯水が開始され始める。
【００４３】
なお、この第２の実施の形態においては、コーナー孔１８を底面部３から前面部６、及び底面部３から後面部７に各々亙って設けるようにしたが、図３に示す第３の実施の形態のように、一対のコーナー孔１８を、右側面部５から底面部３に亙って設けるようにしてもよい。
【００４４】
図４は、本発明の第４の実施の形態を示すものであり、前記コーナー孔１８に代わって、右側面部５の下端部に一対の右側面孔１９が形成されている。この一対の右側面孔１９の総開口面積と底面孔１１の総開口面積との関係は、前述した実施の形態と同様に、右側面孔１９の総開口面積が、底面孔１１の総開口面積よりも遙かに小さく設定されている。
【００４５】
また、図５は、本発明の第５の実施の形態を示すものであり、左側面部４の下端部に３個の左側面孔２０が形成され、第３室１７の底面部３に２個の底面孔２１が形成されている。この底面孔２１の総開口面積と左側面孔２０の総開口面積との関係は、底面孔２１の総開口面積が、左側面孔２０の総開口面積よりも遙かに小さく設定されている。
【００４６】
さらに、図６は、本発明の第６の実施の形態を示すものであり、左側面部４から底面部３に亙って３個のコーナー孔２２が形成され、第３室１７の底面部３に２個の底面孔２１が形成されている。この底面孔２１の総開口面積とコーナー孔２２の総開口面積との関係は、底面孔２１の総開口面積が、コーナー孔２２の総開口面積よりも遙かに小さく設定されている。したがって、これら第４〜第６の実施の形態においても、前述した第２の実施の形態と同様に、水溶性薬剤の溶解及び薬剤溶液の供給がなされる。
【００４７】
図７は、本発明の第７の実施の形態を示すものであり、第１室１６の底面部３に３個の大底面孔２３が形成され、第３室１７の底面部３に２個の小底面孔２４が形成されている。さらに、右側面部５には、１個の中右側面孔２５が形成され、該中右側面孔２５は、第１仕切部１４の上端１４ａの高さ位置と第２仕切部１５の上端１５ａの高さ位置との中間位置に設けられている。また、こられ大底面孔２３と中右側面孔２５と小底面孔２４の直径は、３ｍｍ：２ｍｍ：１ｍｍである。
【００４８】
以上の構成にかかる第７の実施の形態において、貯水タンク内の水が便器内に放水し終わった後、貯水タンク内の弁が閉じて貯水が開始されると、該貯水タンク内の水面レベルは徐々に上昇して行き、やがて底面部３以上となる。すると、貯水タンク内の水が、大底面孔２３と小底面孔２４とを介して第１及び第３室１６，１７内に侵入して、第１及び第３室１６，１７内の水面レベルが上昇する。このとき、第１及び第３室１６，１７内には各々孔２３，２４を介して水が侵入することから、第１及び第３室１６，１７内の水面レベルの上昇は急峻ではなく、水道水が直接流入する貯水タンク内の水面レベルの方が急速に上昇して、該貯水タンク内の水面レベルは、満タンレベルＬ２にて停止する。
【００４９】
一方、大底面孔２３の総開口面積は、小底面孔２４の総開口面積よりも遙かに大きく設定されていることから、第１室１６内の水面レベルは、第３室１７の水面レベルよりも急速に上昇して行く。そして、第１室１６内の水が第１仕切部１４の上端１４ａを越え得るレベルＬ３になると、該第１室１６内の水は第１仕切部１４の上端１４ａを越えて第２室１０内に落下し、前述したと同様に、水溶性薬剤の溶解が促進される。
【００５０】
また、容器体２内の水面レベルが中右側面孔２５よりも高位置になると、該中右側面２５から容器体２内に侵入する水の流れが、水平方向に形成される。このとき、中右側面孔２５は、第１仕切部１４の上端１４ａの高さ位置と第２仕切部１５の上端１５ａの高さ位置との中間位置に設けられていることから、中右側面孔２５からの流入による水流が、同図に矢印Ｆで示すように、両仕切部１４，１５間において水平方向に生ずることとなる。このため、この水平方向に生ずる水流Ｆによっても、水溶性薬剤の上部が攪拌され、これにより水溶性薬剤の溶解効率を高めて、適正な高い濃度で水溶性薬剤を溶解させることが可能となる。
【００５１】
図８は、本発明の第８の実施の形態を示すものであり、前述した第７の実施の形態と異なり、左側面部４には、１個の中左側面孔２６が形成され、該中左側面孔２６は、第１仕切部１４の上端１４ａの高さ位置よりもやや上部に設けられている。また、大底面孔２３と中左側面孔２６と小底面孔２４の直径は、３ｍｍ：２ｍｍ：１ｍｍである。
【００５２】
かかる第８の実施の形態において、貯水タンク内の弁が閉じて貯水を行っているとき、容器体２内の水面レベルが中左側面孔２６よりも高位置になると、該中左側面孔２６から容器体２内に侵入する水の流れが、水平方向に形成される。このとき、中左側面孔２６は、第１仕切部１４の上端１４ａの高さ位置よりもやや上部であることから、中左側面孔２５からの流入による水流が、同図に矢印Ｆで示すように、第１仕切部１４の上部において第２仕切部１５方向に生ずる。このため、この水平方向に生ずる水流Ｆによっても、水溶性薬剤の上部が攪拌され、これにより水溶性薬剤の溶解効率を高めて、適正な高い濃度で水溶性薬剤を溶解させることが可能となる。
【００５３】
図９は、本発明の第９の実施の形態を示すものであり、第１室１６の底面部３に３個の大底面孔２３が形成され、第３室１７の底面部３に１個の小底面孔２４が形成されている。こられ大底面孔２３と小底面孔２４の直径は、３ｍｍ：１ｍｍである。
【００５４】
以上の構成にかかる第９の実施の形態において、貯水タンク内の水が便器内に放水し終わった後、貯水タンク内の弁が閉じて貯水が開始されると、該貯水タンク内の水面レベルは徐々に上昇して行き、やがて底面部３以上となる。すると、貯水タンク内の水が、大底面孔２３と小底面孔２４とを介して第１及び第３室１６，１７内に侵入して、第１及び第３室１６，１７内の水面レベルが上昇する。このとき、大底面孔２３の総開口面積は、小底面孔２４の総開口面積よりも遙かに大きく設定されていることから、第１室１６内の水面レベルは、第３室１７の水面レベルよりも急速に上昇して行く。そして、第１室１６内の水が第１仕切部１４の上端１４ａを越え得るレベルＬ３になると、該第１室１６内の水は第１仕切部１４の上端１４ａを越えて第２室１０内に落下し、前述したと同様に、水溶性薬剤が溶解して薬剤溶液が生成される。
【００５５】
また、水が第１仕切部１４の上端１４ａを越えて第２室１０内に落下することにより、両仕切部１４，１５間で溢れた高濃度の薬剤溶液は、第２仕切部１５の上端１５ａを乗り越えて、第３室１７内に流入する。したがって、この間は“Ｌ３−Ｌ４”の水位差が確保されて、この水位差による流圧の付加と攪拌とが行われる。このとき、小底面孔２４は１個のみ形成されていることから、該小底面孔２４から第３室１７への水の流入は少なく、よって、長期に亙って“Ｌ３−Ｌ４”の水位差が維持される。よって、この間、この水位差“Ｌ３−Ｌ４”をもって落下する水により、確実に水溶性薬剤に流圧を付加できるのみならず、水溶性薬剤上に貯留している水が攪拌され、これにより、確実に所定量の薬剤を水中に溶解させることができる。
【００５６】
図１０は、本発明の第１０の実施の形態を示すものであり、第３室１７の底面部３に２個の小底面孔２４が形成されている点のみが、第９の実施の形態とは異なっており、大底面孔２３と小底面孔２４の直径は、３ｍｍ：１ｍｍである。
【００５７】
かかる第１０の実施の形態において、トイレ使用後、貯水タンク内の水を便器内に放出すると、貯水タンクの水面レベルＬ２は下降して行く。この水面レベルＬ２の下降に伴って、容器体２内の薬剤溶液が、大底面孔２３と小底面孔２４とを介して容器体２外に流出し、該容器体２外の貯水タンク内の水に混入する。したがって、便器内には貯水タンクから薬剤溶液が混入したブルーの水等が放出され、便器の洗浄、消臭等がなされる。
【００５８】
このとき、前述したように、貯水タンク内の水面レベルＬ２は、容器体２内の水面レベルよりも急速に低下し、よって、貯水タンク内の水面レベルＬ２が容器体２よりも下方となった時点でも、容器体２内の薬剤溶液は全て外部に流出してはいない。しかし、貯水タンク内の水面レベルＬ２が容器体２よりも下方となった時点からも、貯水タンクから便器への放水が継続している状態にある。したがって、大底面孔２３及び小底面孔２４からの薬剤溶液が、貯水タンク内の水に滴下しつつ混入して、この薬剤溶液が混入した水の便器への放出が継続する。このとき、小底面孔２４が２個設けられていることから、貯水タンク内の弁が閉じて貯水が開始され始める前に、容器体２内の薬剤溶液を貯水タンク内に導出させることができる。よって、１回の貯水で容器体２内に生成された薬剤溶液を、確実に１回の放水により使用して、便器内に流入する薬剤の濃度を安定的なものにすることができる。
【００５９】
図１１は、本発明の第１１の実施の形態を示すものであり、第１室１６の底面部３に３個の大底面孔２３が形成され、右側面部５の第２仕切部１５の上端１５ａよりもやや下部に１個の中右側面孔２５が形成されている。こられ大底面孔２３と中右側面孔２５の直径は、３ｍｍ：１ｍｍである。
【００６０】
以上の構成にかかる第１１の実施の形態において、トイレ使用後、貯水タンク内の水を便器内に放出すると、貯水タンクの水面レベルＬ２は下降して行く。この水面レベルＬ２の下降に伴って、容器体２内の薬剤溶液が、大底面孔２３と中右側面孔２５とを介して容器体２外に流出して、該容器体２外の貯水タンク内の水に混入し、便器内には貯水タンクから薬剤溶液が混入したブルーの水等が放出される。
【００６１】
しかし、中右側面孔２５は前述のように、右側面部５の第２仕切部１５の上端１５ａよりもやや下部に設けられていることから、第３室１７内の中右側面孔２５よりも下部に薬剤溶液が残存した状態で、容器体２から外部への薬剤溶液の流出が停止する。したがって、溶解率の高い水溶性薬剤を用いた場合には、便器内に流出する溶液の濃度を規制することができ、溶解率の高い水溶性薬剤を用いた場合であっても、適切な濃度の薬剤溶液を便器内に供給することできる。
【００６２】
図１２は、本発明の第１２の実施の形態を示すものであり、第１室１６の底面部３に２個の中底面孔２７が形成され、右側面部５の第２仕切部１５の上端１５ａよりもやや下部に１個の小右側面孔２８が形成されている。こられ中底面孔２７と小右側面孔２８の直径は、２ｍｍ：１ｍｍである。
【００６３】
以上の構成にかかる第１２の実施の形態において、トイレ使用後、貯水タンク内の水を便器内に放出した際には、前述した第１１の実施の形態と同様に、第３室１７内の小右側面孔２８よりも下部に薬剤溶液が残存した状態で、容器体２から外部への薬剤溶液の流出が停止する。また、貯水時においては、２個の中底面孔２７から流入した水が第１仕切部１４の上端１４ａを乗り越えて落下することから、単位時間当たりの落下水量も少ないものとなる。したがって、溶解率の極めて高い水溶性薬剤を用いた場合には、放水時と貯水時の双方で薬剤溶液の濃度を規制することができ、溶解率の高い水溶性薬剤を用いた場合であっても、適切な濃度の薬剤溶液を便器内に供給することできる。
【００６４】
なお、各実施の形態においては、断面矩形の容器体２を用いたものを示したが、これに限ることなく、断面半円形、断面円形等、容器体２は他の断面形状であってもよく、さらには伸縮自在として上下方向の長さを調整可能としてもよい。また、容器体２に設けられる各孔の数、径、形状も各実施の形態のものに限ることなく、適宜変更し、あるいはその形成部位を適宜組み合わせてもよい。
【００６５】
【発明の効果】
以上説明したように本発明は、容器体内で水位差を生じさせ、この水位差で落下する水による流圧及び攪拌により、容器体内に配置される水溶性薬剤を溶解させるようにした。よって、前回の放水時点から今回の放水時点までの時間が短い連続放水を行った場合であっても、適正濃度の薬剤を溶解させた水を放水させることが可能となる。さらに、前記水位差で落下する水による流圧及び攪拌で水溶性薬剤を積極的に溶解させることから、水溶性薬剤の残存量が少なくなってその表面積が少なくなったとしても、これに左右されることなく薬剤を充分溶解させることができ、その結果、薬剤が消失するまで薬剤の溶解濃度を適正に保つことができる。
【００６６】
また、容器体内に異なる高さの仕切部を設けて、第１室、第２室、第３室を形成し、第１室と第３室とに外部に連通する流入出部を設けるようにしたことから、第１室と第２室とに一定の水位差を一定時間確保することができる。よって、この水位差で、第１室から第２室に落下する水による流圧及び攪拌により、容器体内に配置される水溶性薬剤を確実に溶解させることができ、適正濃度の薬剤を確実に溶解させた水を放水させることが可能となる。
【００６７】
また、容器体を断面矩形とすることにより、周面を貯水タンク式水洗トイレの貯水タンクの内周壁に接面させて安定的に配置することができる。また、容器体を、長さ調整可能とすることにより、販売時にコンパクト化し、使用時には貯水タンクのサイズに左右されることなく使用が可能となる。また、容器体の上端部に、水溶性薬剤を投入するための投入口を設けることにより、この水洗トイレ用薬剤供給具の永続的な使用が可能となる。また、投入口が、容器体を前記貯水タンクに装着したとき、該貯水タンクの縁部と略面一状をなすことにより、水溶性薬剤の投入が容易となる。
【００６８】
また、各仕切部が容器体と一体的に形成されることにより製造工程の簡略化を図ることができる。
【００６９】
また、第１流入出部の総開口面積が、第２流入出部の総開口面積よりも大きいことにより、前記水位差を確実に形成することができる。また、第１流入出部や第２流入出部を容器体の底面部に設けることにより、容器体内に溶液を残存させることなく、貯水タンク内に流出させることができる。また、前記第１流入出部や第２流入出部を、前記容器体の側面部に設けることにより、逆に、第１室内の溶液を残存させて、貯水タンク内の薬剤濃度を調整することもできる。
【００７０】
また、第１流入出部や第２流入出部を、容器体の底面部と側面部とに亙って設けた構成により、容器体を射出成型する場合、流入出部の形成が容易となる。さらに、流入出部を、複数の貫通孔で構成することにより、容器体の剛性を低下させることなく、必要な開口面積を確保することができる。
【００７２】
【図面の簡単な説明】
【図１】本発明の第１の実施の形態を示す要部斜視図である。
【図２】本発明の第２の実施の形態を示す要部斜視図である。
【図３】本発明の第３の実施の形態を示す要部斜視図である。
【図４】本発明の第４の実施の形態を示す要部斜視図である。
【図５】本発明の第５の実施の形態を示す要部斜視図である。
【図６】本発明の第６の実施の形態を示す要部斜視図である。
【図７】本発明の第７の実施の形態を示す要部斜視図である。
【図８】本発明の第８の実施の形態を示す要部斜視図である。
【図９】本発明の第９の実施の形態を示す要部斜視図である。
【図１０】本発明の第１０の実施の形態を示す要部斜視図である。
【図１１】本発明の第１１の実施の形態を示す要部斜視図である。
【図１２】本発明の第１２の実施の形態を示す要部斜視図である。
【符号の説明】
１    水洗トイレ用薬剤供給具
２    容器体
３    底面部
４    左側面部
５    右側面部
６    前面部
７    後面部
８    仕切部
８ａ    上端部
９    第１室
１０    第２室
１１    底面孔
１２    側面孔
１３    水溶性薬剤
１４    第１仕切部
１５    第２仕切部
１６    第１室
１７    第３室
１８    コーナー孔
【図１】
0003833349.tif 000002
【図２】
0003833349.tif 000003
【図３】
0003833349.tif 000004
【図４】
0003833349.tif 000005
【図５】
0003833349.tif 000006
【図６】
0003833349.tif 000007
【図７】
0003833349.tif 000008
【図８】
0003833349.tif 000009
【図９】
0003833349.tif 000010
【図１０】
0003833349.tif 000011
【図１１】
0003833349.tif 000012
【図１２】
0003833349.tif 000013